(57)【要約】【課題】携帯性に優れ、風呂用腰掛けを石鹸・シャンプー類と一緒にコンパクトにまとめて銭湯や温泉施設等に手軽に持参できる風呂用セットを提供する。【解決手段】座部１０１の周囲に脚部１０２が垂設されると共に、座部１０１の中央に水抜き孔１０３が形成された風呂用腰掛け１００と、この風呂用腰掛け１００を上下逆さまの姿勢にした状態でその内部に収容可能な湯桶２００と、この湯桶２００の中に収容可能な小物容器３００とを備え、前記風呂用腰掛け１００の脚部１０２の下端部に不使用時にはその内部に畳み可能でかつ使用時には外に引出し可能な手提げ部１０５、１０５を設ける。【選択図】図１
0003166373.tif 000002
【実用新案登録請求の範囲】
【請求項１】
座部の周囲に脚部が垂設されると共に、座部の中央に水抜き孔が形成された風呂用腰掛けと、この風呂用腰掛けを上下逆さまの姿勢にした状態でその内部に収容可能な湯桶と、この湯桶の中に収容可能な小物容器とを備え、前記風呂用腰掛けの脚部の下端部に不使用時にはその内部に畳み可能でかつ使用時には外に引出し可能な手提げ部が設けられていることを特徴とする風呂用セット。
【請求項２】
風呂用腰掛けを上下逆さまの姿勢にした状態でその内部収容空間の上部にタオル等を収納可能な収納スペースが設けられていることを特徴とする請求項１記載の風呂用セット。
【考案の詳細な説明】
【技術分野】
【０００１】
本考案は、主に銭湯や温泉施設等に持参するのに好適な風呂用セットに関する。
【背景技術】
【０００２】
一般に銭湯では洗い場に風呂用腰掛けや湯桶が付属されており、身体を洗う石鹸やボディソープ、洗髪用のシャンプー・リンス類は、自分で持参する所が多い。また、ホテルの温泉施設や比較的規模の大きい入浴施設においては、ボディソープやシャンプー・リンス類が付属されているが、それらの入浴用品を他人と共用せずに、自分で持参するニーズも根強い。かかる場合、これらの入浴用品を一つにまとめて湯桶（洗面器）に収容したり、あるいは手提げ可能な小物入れに収容して銭湯等に持参するようにしている。後者の小物入れの例として実開昭６２−９８５９１号公報（特許文献１）に開示されたものが知られている。
【０００３】
また、マンションなどの狭い浴室で石鹸・シャンプー・スポンジ等をコンパクトにまとめて整理するようにした風呂用セットが登録実用新案第３０４２８７８号公報（特許文献２）に開示されている。
【先行技術文献】
【特許文献】
【０００４】
【特許文献１】実開昭６２−９８５９１号公報
【特許文献２】登録実用新案第３０４２８７８号公報
【考案の概要】
【考案が解決しようとする課題】
【０００５】
自分専用の入浴用品を持参する人のうちには、湯桶だけでなく、銭湯やホテルの温泉施設に付属されている風呂用腰掛け（椅子）も自分専用のものを使いたいというニーズが少なからずある。しかしながら、実際問題として、自宅から風呂用腰掛けを携帯して持参するのは面倒でかつ煩雑であり、自分専用のものを使いたいという要望があっても、銭湯等に付属の腰掛けを仕方なく他人と共用せざるを得なかった。
【０００６】
本考案は上記課題に鑑みてなされたもので、携帯性に優れ、風呂用腰掛けを石鹸・シャンプー類と一緒にコンパクトにまとめて銭湯や温泉施設等に手軽に持参できる風呂用セットを提供することを目的とする。
【課題を解決するための手段】
【０００７】
上記課題を解決するために、本考案に係る風呂用セットは、
座部の周囲に脚部が垂設されると共に、座部の中央に水抜き孔が形成された風呂用腰掛けと、この風呂用腰掛けを上下逆さまの姿勢にした状態でその内部に収容可能な湯桶と、この湯桶の中に収容可能な小物容器とを備え、前記風呂用腰掛けの脚部の下端部に、不使用時にはその内部に畳み可能でかつ使用時には外に引出し可能な手提げ部を設けたことを特徴とする。
【０００８】
本考案に係る風呂用セットによると、風呂用腰掛けを携帯用の外容器として用いる場合には、座部が下に脚部が上になるように上下逆さまの姿勢にする。そして、中の手提げ部を外に引出して、その内部に湯桶を収容し、湯桶の内部には石鹸・シャンプー類を収容した小物容器を収容する。後は、手提げ部を手で把持して風呂用腰掛けと手桶、石鹸・シャンプー類を一緒に銭湯や温泉施設に手軽に持参することができる。風呂用腰掛けを外容器として用い、手提げ部を付けたことにより、携帯性に優れ、石鹸・シャンプー類、手桶とともに、自分専用の風呂用腰掛けを手軽に持参することができる。風呂用腰掛けとして用いる場合は、先ほどの手提げ部をその内部に畳んで収容し、上下逆さまにして元の姿勢に戻せばよく、洗い場で腰掛けに座って身体を洗い、洗髪する際に足元で邪魔になることがない。
【０００９】
本考案に係る風呂用セットは、風呂用腰掛けを上下逆さまの姿勢にした状態でその内部収容空間の上部にタオル等を収納可能な収納スペースを設けたことを第２の特徴とする。
【考案の効果】
【００１０】
以上説明したように、本考案に係る風呂用セットによると、風呂用腰掛けを、上下逆さまにして手提げ部を引出し、その内部に上から湯桶を収容し、湯桶には石鹸・シャンプー類を収容した小物容器を収容することにより、手提げ部を把持して、風呂用腰掛けを外容器として、洗面器や石鹸・シャンプー類と一緒に銭湯や温泉施設に持参することができ、自分専用の風呂用腰掛けの使用を希望する入浴者にとって、携帯性に優れ、極めて便利な風呂用セットを提供することができる。また、本来の風呂用腰掛けとして用いる場合は、手提げ部をその内部に収容して用いればよく、洗い場で腰掛けに座って身体を洗ったり、洗髪する際に足元で邪魔になることもない。
【図面の簡単な説明】
【００１１】
【図１】本考案の風呂用セットの使用状態を示す断面図、
【図２】風呂用腰掛けを上下逆さまの姿勢にしてその内部に手桶、小物かご容器を収容する手順を示す斜視図、
【図３】風呂用腰掛けを外容器として用いる場合の断面図、
【図４】本考案の風呂用セットに含まれる風呂用腰掛け、手桶、小物かご容器の斜視図である。
【考案を実施するための最良の形態】
【００１２】
以下、本考案を実施するための最良の形態について図１ないし図４を参照して説明する。これらの図において、符号Ｓは風呂用セットを示している。
【００１３】
図１および図４に示すように、風呂用セットＳは、外容器兼用となる風呂用腰掛け１００と、湯桶２００と、石鹸・シャンプー類を収容する小物かご容器３００とから構成されている。
【００１４】
風呂用腰掛け１００は、プラスチック製等からなり、図４に示すように、天板に略円形の座部１０１が形成されると共に、座部１０１の周囲からは下に行くに従い次第に拡径する脚部１０２が垂設されている。また、座部１０１の中央には水抜き孔１０３が設けられると共に、脚部１０２の下端には相対する２箇所に切り欠け部１０４が設けられている。脚部１０２の下端部には、２箇所の切り欠け部１０４、１０４に対応する位置にアーチ状の手提げ部１０５、１０５が内側に設けられている。これら一対の手提げ部１０５、１０５は、風呂用腰掛け１００を上下逆さまにした姿勢の状態で外容器として使用する場合の手提げ部分となるもので、プラスチック製からなる。
【００１５】
また、各手提げ部１０５は、図３に示すように、風呂用腰掛１００の脚部１０２の内面に設けられた支持部１０６に対し、それぞれの根元１０５ａが回動可能に支持されており、したがって、使用しない場合は、風呂用腰掛け１００の脚部１０２の内側に畳んで収容できるようになっている。かかる手提げ部１０５は、根元１０５ａと支持部１０６との間の摩擦抵抗力により内側への畳み込み姿勢および外側への引き出し姿勢をそれぞれ保持できるようになっている。各姿勢を保持するストッパーを付けてもよい。なお、脚部１０２の下端周囲にはすべり止めおよび強化部分１０７が設けられ、座部１０１と脚部１０２の間にもその内面に数箇所にわたり強化部分１０８が設けられている。
【００１６】
湯桶２００は、プラスチック製等からなり、図４に示すように、浅底で有底円筒形のボウル形の形状をしており、外形寸法は、風呂用腰掛け１００の内形寸法よりも小さいサイズとされている。したがって、湯桶２００は、図１に示すように、風呂用腰掛け１００を上下逆さまにした姿勢でその内部に収容できるようになっている。
【００１７】
小物かご容器３００は、上面が開口して石鹸・シャンプー類を収容する箱形の容器で、プラスチック製等からなる。図４に示すように、水切りがよいように網状の形状とされている。外形寸法は、図１に示すように湯桶２００の内部に収容できるように湯桶２００の内形寸法よりも小さいサイズとされている。図示例では、小物かご容器３００の内部に、ボディソープ１、シャンプー２、リンス３が収容されているが、他の入浴用品（例えばヒゲそり等）を収容できるのはもちろんである。
【００１８】
以上の風呂用セットＳは、次のようにして用いる。まず、図３に示すように、風呂用腰掛け１００を、座部１０１が下に脚部１０２が上になるように上下逆さまの姿勢にし、内側から手提げ部１０５、１０５を外に引き出す。次に、図２に示すように、風呂用腰掛け１００の内部収容空間１０９に湯桶２００を置き、湯桶２００にはボディソープ１、シャンプー２、リンス３を収容した小物容器３００をセットする。かかる状態で、手提げ部１０５、１０５を手で把持することにより風呂用腰掛け１００を外容器として用い、湯桶２００およびボディソープ１、シャンプー２、リンス３と一緒に銭湯や温泉施設に手軽に持参することができる。
【００１９】
風呂用腰掛け１００の内部収容空間１０９には、図１に示すように、湯桶１００の上部収容空間に、タオル・下着類１１１を収納できる収納スペース１１０が確保され、かかる収納スペース１１０にそれらタオル・下着類１１１を収納することができる。タオル・下着類を風呂用腰掛け１００等と別々に持たなくて済むので、便利である。
【００２０】
銭湯や温泉施設内では、洗い場で風呂用腰掛け１００から湯桶２００と小物かご容器３００を取り出し、手提げ部１０５、１０５を中に畳み込み、図４に示すように、風呂用腰掛け１００を上下にひっくり返して本来の姿勢に戻して床面上に置き、座部１０１上に腰掛ける。風呂用腰掛け１００を本来の姿勢で用いる場合、手提げ部１０５、１０５が中に畳み込まれるから、洗い場で身体を洗ったり、洗髪する際に足元で邪魔になることがない。
【００２１】
入浴後、銭湯や温泉施設から帰る際は、風呂用腰掛け１００を水切りし、図３に示すように再び手提げ部１０５、１０５を引き出し、図２に示すように外容器としてその中に湯桶２００、小物かご容器３００等を順に収容することにより、手軽に持ち帰ることができる。風呂用腰掛け１００の座部１０１には中央に水抜き孔１０３が設けられているので、風呂用腰掛け１００を外容器として用いる場合も、内部に溜まった水が水抜き孔１０３から排水され、衛生面が確保される。
【００２２】
かくして、本考案の風呂用セットによれば、風呂用腰掛けを上下逆さまにした姿勢の状態で外容器として用い、その内部に湯桶や石鹸・シャンプー類を収容する小物かご容器をまとめて収容すると共に、手提げ部を付けて携帯性を向上させることにより、風呂用腰掛けを湯桶や石鹸・シャンプー類と一緒に銭湯や温泉施設等に手軽に持参することができるようになった。また、風呂用腰掛けを本来の目的で使用する場合には、手提げ部を内部に畳み込むことにより邪魔にならない。
【００２３】
これによって、自分専用の風呂用腰掛けを使用したい入浴者に対し、便利で使いやすいお風呂用セットを提供することができ、本考案の風呂用セットを使用することにより、老若男女や子供を問わず、銭湯や温泉施設等に出かける楽しみを増加させることができる。
【産業上の利用可能性】
【００２４】
本考案に係る風呂用セットは、主に銭湯や温泉施設等に持参するのに好適な風呂用セットとして利用可能である。
【符号の説明】
【００２５】
１  ボディソープ
２  シャンプー
３  リンス
１００  風呂用腰掛け
１０１  座部
１０２  脚部
１０３  水抜き孔
１０４  切り欠け部
１０５  手提げ部
１０５ａ  根元
１０６  支持部
１０７，１０８  強化部分
１０９  内部収容空間
１１０  収納スペース
１１１  タオル・下着類
２００  湯桶
３００  小物容器
【図１】
0003166373.tif 000003
【図２】
0003166373.tif 000004
【図３】
0003166373.tif 000005
【図４】
0003166373.tif 000006